(57)【要約】  ボイスオーバーインターネットプロトコル（ＶｏＩＰ）クライアントをワイヤレスＰＣカード内に一体化する方法および装置を開示する。ソフト携帯電話クライアントがセルラＰＣカードと組み合わされて単一の物理装置が生み出され、この単一の物理装置は、装置自体のセルラ機能を介して、あるいはコンピュータにとって利用可能な任意の他のインターネット接続機能を介して、コンピュータユーザにＶｏＩＰサービスを提供することができる。ユーザがＶｏＩＰクライアント／セルラＰＣカードをコンピュータに挿入するとき、ユーザがＶｏＩＰクライアントにＶｏＩＰ機能コマンドを通信することを可能にする、接続マネージャソフトウェア内のグラフィカルユーザインターフェース（ＧＵＩ）が立ち上がる。インターネット接続機能についてのチェックを実施することができ、その時、接続機能が検出された場合、拡張ＰＣカードの無線部分を遊休状態にすることができ、あるいは拡張ＰＣカードの無線部分が、拡張ＰＣカードのセルラ部分を介してインターネット接続機能を確立することができる。（キーワード：ＵＭＡ（ｕｎｉｖｅｒｓａｌ  ｍｏｂｉｌｅ  ａｃｃｅｓｓ）、ＳＩＰ、ＧＡＮ、ＩＥＥＥ８０２．２１、アクセス層モジュール、ソフトフォン、ソフトモバイル）
2010524400.tif 000002
【特許請求の範囲】
【請求項１】
インターフェースを介してコンピュータに接続するように構成された装置であって、
ボイスオーバーインターネットプロトコル（ＶｏＩＰ）を提供するように構成されたソフトモバイルクライアントと、
ワイヤレス接続機能を提供するように構成されたセルラモデムと
を備えることを特徴とする装置。
【請求項２】
前記ソフト携帯電話クライアントは、
ｕｎｌｉｃｅｎｓｅｄ  ｍｏｂｉｌｅ  ａｃｃｅｓｓ／ｇｅｎｅｒｉｃ  ａｃｃｅｓｓ  ｎｅｔｗｏｒｋ（ＵＭＡ／ＧＡＮ）モジュールと、
ＶｏＩＰモジュールと
を備えることを特徴とする請求項１に記載の装置。
【請求項３】
前記ソフト携帯電話クライアントは、ユーザと前記ＶｏＩＰモジュールとの間のＶｏＩＰ音声呼出し機能を提供するように構成されたグラフィカルユーザインターフェース（ＧＵＩ）を実行するソフトウェアをさらに備えることを特徴とする請求項２に記載の装置。
【請求項４】
前記ＧＵＩは電話機のグラフィカル表現であることを特徴とする請求項３に記載の装置。
【請求項５】
前記セルラモデムは、
無線周波数（ＲＦ）モジュールと、
非アクセス層（ＮＡＳ）モジュールと、
アクセス層（ＡＳ）モジュールと
を備えることを特徴とする請求項２に記載の装置。
【請求項６】
前記セルラモデムは加入者識別モジュール（ＳＩＭ）カードをさらに備えることを特徴とする請求項５に記載の装置。
【請求項７】
前記ソフト携帯電話クライアントは、
ＩＥＥＥ８０２．２１モジュールと、
ＶｏＩＰモジュールと
を備えることを特徴とする請求項１に記載の装置。
【請求項８】
前記ソフト携帯電話クライアントは、ユーザと前記ＶｏＩＰモジュールとの間のＶｏＩＰ音声呼出し機能を提供するように構成されたグラフィカルユーザインターフェース（ＧＵＩ）をさらに備えることを特徴とする請求項７に記載の装置。
【請求項９】
前記ＧＵＩは電話機のグラフィカル表現であることを特徴とする請求項８に記載の装置。
【請求項１０】
前記セルラモデムは、
無線周波数（ＲＦ）モジュールと、
非アクセス層（ＮＡＳ）モジュールと、
アクセス層（ＡＳ）モジュールと
を備えることを特徴とする請求項７に記載の装置。
【請求項１１】
前記セルラモデムは加入者識別モジュール（ＳＩＭ）カードをさらに備えることを特徴とする請求項１０に記載の装置。
【請求項１２】
前記ソフト携帯電話クライアントは、
Ｓｅｓｓｉｏｎ  Ｉｎｉｔｉａｔｉｏｎ  Ｐｒｏｔｏｃｏｌ（ＳＩＰ）モジュールと、
ＶｏＩＰモジュールと
を備えることを特徴とする請求項１に記載の装置。
【請求項１３】
前記ソフト携帯電話クライアントは、ユーザと前記ＶｏＩＰモジュールとの間のＶｏＩＰ音声呼出し機能を提供するように構成されたグラフィカルユーザインターフェース（ＧＵＩ）をさらに備えることを特徴とする請求項１２に記載の装置。
【請求項１４】
前記ＧＵＩは電話機のグラフィカル表現であることを特徴とする請求項１３に記載の装置。
【請求項１５】
前記セルラモデムは、
無線周波数（ＲＦ）モジュールと、
非アクセス層（ＮＡＳ）モジュールと、
アクセス層（ＡＳ）モジュールと
を備えることを特徴とする請求項１２に記載の装置。
【請求項１６】
前記セルラモデムは加入者識別モジュール（ＳＩＭ）カードをさらに備えることを特徴とする請求項１５に記載の装置。
【請求項１７】
前記セルラモデムは、
無線周波数（ＲＦ）モジュールと、
非アクセス層（ＮＡＳ）モジュールと、
アクセス層（ＡＳ）モジュールと
を備えることを特徴とする請求項１に記載の装置。
【請求項１８】
前記セルラモデムは加入者識別モジュール（ＳＩＭ）カードをさらに備えることを特徴とする請求項１７に記載の装置。
【請求項１９】
前記インターフェースはユニバーサルシリアルバス（ＵＳＢ）インターフェースであることを特徴とする請求項１に記載の装置。
【請求項２０】
前記インターフェースはＥｘｐｒｅｓｓＣａｒｄインターフェースであることを特徴とする請求項１に記載の装置。
【請求項２１】
前記インターフェースはＭｉｎｉ  ＰＣＩ−ｅインターフェースであることを特徴とする請求項１に記載の装置。
【請求項２２】
前記インターフェースはＰｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ（ＰＣＭＣＩＡ）インターフェースであることを特徴とする請求項１に記載の装置。
【請求項２３】
前記インターフェースはＣａｒｄｂｕｓインターフェースであることを特徴とする請求項１に記載の装置。
【請求項２４】
コンピュータにおいてボイスオーバーインターネットプロトコル（ＶｏＩＰ）通信を可能にする方法であって、
通信インターフェースを介して前記コンピュータに、セルラモデム部およびソフト携帯電話クライアント部を備える周辺装置を接続するステップと、
前記ソフト携帯電話部分にＶｏＩＰ命令を提供するように構成されたグラフィカルユーザインターフェース（ＧＵＩ）実行可能ファイルを立ち上げるステップと、
インターネット接続機能について、前記コンピュータをチェックするステップと、
インターネット接続機能が検出されない場合、前記セルラモデム部を起動してインターネットに接続するステップと、
確立されたインターネット接続を通じて、前記ソフト携帯電話クライアント部を介してＶｏＩＰ通信を転送するステップと
を含むことを特徴とする方法。
【請求項２５】
前記ソフトモバイルＶｏＩＰクライアント部はＩＥＥＥ８０２．２１実装に基づくことを特徴とする請求項２４に記載の方法。
【請求項２６】
前記ソフトモバイルＶｏＩＰクライアント部はＳｅｓｓｉｏｎ  Ｉｎｉｔｉａｔｉｏｎ  Ｐｒｏｔｏｃｏｌ（ＳＩＰ）実装に基づくことを特徴とする請求項２４に記載の方法。
【請求項２７】
前記ソフト携帯電話クライアント部はＵｎｌｉｃｅｎｓｅｄ  Ｍｏｂｉｌｅ  Ａｃｃｅｓｓ（ＵＭＡ）実装に基づくことを特徴とする請求項２４に記載の方法。
【請求項２８】
前記ＧＵＩ実行可能ファイルは、前記ソフト携帯電話クライアント部の一部として前記周辺装置内に常駐することを特徴とする請求項２４に記載の方法。
【請求項２９】
前記ＧＵＩ実行可能ファイルは、前記コンピュータ内のメモリ内に常駐することを特徴とする請求項２４に記載の方法。
【請求項３０】
前記周辺装置は、前記セルラモデム部によってインターネット接続機能を確立し、前記ソフト携帯電話クライアント部によってＶｏＩＰ通信を実施し、および前記ソフト携帯電話クライアント部と前記セルラモデム部との間の動作を調整する機械可読命令を含むポリシーをさらに含むことを特徴とする請求項２４に記載の方法。
【請求項３１】
前記ポリシーは前記周辺装置のファームウェア内に常駐することを特徴とする請求項２５に記載の方法。
【請求項３２】
前記ポリシーは、セルラオペレータによってＦｉｒｍｗａｒｅ  Ｏｖｅｒ  Ｔｈｅ  Ａｉｒ（ＦＯＴＡ）を介して提供されることを特徴とする請求項２５に記載の方法。
【請求項３３】
前記周辺装置は加入者識別モジュール（ＳＩＭ）部をさらに備えることを特徴とする請求項２５に記載の方法。
【請求項３４】
前記ポリシーはＳＩＭ部内に常駐することを特徴とする請求項２８に記載の方法。
【発明の詳細な説明】
【技術分野】
【０００１】
本願はワイヤレス通信に関し、特に、ワイヤレスＰＣカードにおけるボイスオーバーインターネットプロトコル（ＶｏＩＰ）を提供する方法および装置に関する。
【背景技術】
【０００２】
セルラ料金、特にローミング費用および国際ローミング費用が高額であるために、より費用がかかりうるセルラサービスの代わりに代替のインターネット接続オプションが利用可能であるとき、ユーザは通常、市販サービスのＳｋｙｐｅ（商標）などの低コストまたは無料のボイスオーバーインターネットプロトコル（ＶｏＩＰ）サービスを使用する。この行動は一般に、ホテルの部屋の中にいる、自分の裁量で使用できるラップトップＰＣを有するビジネス旅行者の間で典型的なものである。このシナリオでは、有線接続またはワイヤレス（例えばＷｉＦｉ（登録商標））接続を介して典型的な方式でインターネットサービスの提供を受けることができる。この行動はもちろん、セルラプロバイダの利益にはならず、セルラプロバイダは実質上、音声トラフィックの収入を無料ＶｏＩＰサービスに取られてしまう。
【０００３】
この脅威に対抗するために、セルラプロバイダがＶｏＩＰ型サービスをユーザに提供することを可能にし、それによってこのサービスに関するトラフィックが第３者ネットワークではなくセルラプロバイダによって扱われる技術が現在導入されつつある。この技術は、セルラオペレータによって提供されるソフト携帯電話クライアント（ｓｏｆｔ  ｍｏｂｉｌｅ  ｐｈｏｎｅ  ｃｌｉｅｎｔ）の形態を取ることができる。典型的な実施形態では、このソフト携帯電話クライアントは、加入者識別モジュール（ＳＩＭ）カードと共に、ユニバーサルシリアルバス（ＵＳＢ）スティック／フラッシュメモリ形態要因に常駐することができる。
【０００４】
通常、ユーザは、ユーザのラップトップコンピュータ内にＵＳＢ／ＳＩＭ装置を挿入し、そしてラップトップまたはＰＣ上でソフト携帯電話クライアントを立ち上げる。次に、ソフト携帯電話クライアントは、ラップトップまたはＰＣ上のインターネット接続機能（例えばＷｉＦｉ（登録商標）、ＷｉＭＡＸ、Ｂｌｕｅｔｏｏｔｈ（登録商標）、または他の接続による）を探索し、この接続を介して音声サービスを使用可能にする。このタイプの手法に関する価値命題（ｖａｌｕｅ  ｐｒｏｐｏｓｉｔｉｏｎ）は、（オペレータからの）より良好なＱｏＳの保証と、通常はセルラサービスを介して亨受される、同じ一般的なサービスのパッケージに対するアクセスとを含むことができる。このタイプの商品を可能にする周知の技術は、Ｕｎｌｉｃｅｎｓｅｄ  Ｍｏｂｉｌｅ  Ａｃｃｅｓｓ（ＵＭＡ）技術であり、または、一般的に周知のように、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）で指定されるＧｅｎｅｒｉｃ  Ａｃｃｅｓｓ  Ｎｅｔｗｏｒｋ（ＧＡＮ）である。
【０００５】
この手法に伴う問題は、ほとんどの場合、ユーザ、特にビジネスユーザが、ユーザのラップトップ内に（例えばＥｘｐｒｅｓｓＣａｒｄベースの）高速セルラＰＣカードをも有し、高速セルラＰＣカードがやはりＳＩＭカードを備え、ソフト携帯電話クライアント内に見出すことのできる非アクセス層（ＮＡＳ）などの他の重複する機能を含む可能性があることである。
【０００６】
通信事業者が多数の電話機ブランドおよびセルラＰＣカードを様々な形態要因で市場に出すことはかなり一般的なことである。（特にビジネスユーザに対して）人気のある１つの形態要因は、ＰＣカード（ＰＣＭＣＩＡまたはＥｘｐｒｅｓｓＣａｒｄ）形態要因である。しかし、ＵＭＡ／ＧＡＮは通常、ミッドエンド機能電話の機能と考えられており、ＰＣカードに適用可能な機能とは考えられてはおらず、それによって、セルラＰＣカードにＶｏＩＰ通信させることができない。
【０００７】
セルラ通信事業者の目標は、ユーザ当たり平均収入（ＡＲＰＵ）を最大にし、顧客ロイヤルティを構築し、解約数を最小限に抑えることである。原理的には、これが、ＵＭＡ／ＧＡＮのようなサービスが提供するものである。ＵＭＡ／ＧＡＮのようなサービスは、通常はＷｉＦｉ（登録商標）を介して、ユーザが自分の都合の良いときに自分のためにネットワークにアクセスすることを可能にするが、同時に、ユーザが通信事業者のアプリケーションサービスを引き続き使用することを可能にする。この構成における通信事業者の隠れた利益は、基本ＵＭＡ／ＧＡＮサービス加入からの可能な収入利益に加えて、Ｓｋｙｐｅ（商標）などの代替ＶｏＩＰサービスの誘引力を回避することによって顧客解約数が低減されること、および顧客がＷｉＦｉ（登録商標）を介してインターネットにアクセスしている間に顧客が対価として手数料を支払っている可能性のある、通常はセルラサービスを介することでのみ利用可能な通信事業者のサービスのプールへのアクセスの継続を含む。
【０００８】
図１は、ＵＳＢスティック形態要因１００内の従来型ソフト携帯電話クライアントの機能ブロック図である。この実体は、ソフトモバイルクライアント１０１、ＳＩＭカード１０３、外部ＵＳＢインターフェース１０５、ならびにソフト携帯電話クライアント１０１とＳＩＭカード１０３との間の内部インターフェース１０７を含む。好ましい実施形態では、ソフト携帯電話クライアント１０１は、ＶｏＩＰ１０９構成要素、ＮＡＳ１１１構成要素、およびＵＭＡ／ＧＡＮクライアント１１３構成要素を含む。ＵＳＢスティック形態要因１００におけるソフト携帯電話クライアントは、無線機能を含まないことに留意されたい。ソフト携帯電話クライアントは、ＵＳＢスティック形態要因１００においてソフト携帯電話クライアントが挿入されるＰＣまたはラップトップで利用可能なインターネット接続機能が存在することに依拠する。
【０００９】
図２は、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）技術に基づく従来型ワイヤレスセルラＰＣカード２００の機能ブロック図である。図２は、典型的なセルラＰＣカード２００の基本機能アーキテクチャを示す。好ましい実施形態においてこの実体は、ＮＡＳ１１１構成要素、アクセス層（ＡＳ）２０３構成要素、および無線周波数（ＲＦ）（例えばＷＣＤＭＡ）２０５構成要素、ならびに場合によっては他の周辺機能のホスト２０７を少なくとも含む。セルラＰＣカードはまた、ＳＩＭカード１０３機能をも含むことができるが、ＳＩＭカード１０３（例えばｍｉｎｉ−ｃａｒｄ形態要因の場合）はリモートであることが可能であり、ＳＩＭカード１０３をラップトップ内の電池下などの位置に配置することができる。様々なインターフェース２１１のうちの１つを介してセルラＰＣカード２００をＰＣに接続することができる。この好ましい実施形態では、ＥｘｐｒｅｓｓＣａｒｄインターフェースが示されている。
【発明の概要】
【００１０】
ワイヤレスサービスやＵＭＡ／ＧＡＮなどの所望の機能が複数の物理装置内に含まれるときに問題が生じる。第１に、ある周辺機能が好ましいときに、複数の周辺装置を扱うことについて望ましくないオーバヘッドが存在する。したがって、こうした機能を単一の物理実体として組み合わせることが有益であろう。
【００１１】
ボイスオーバーインターネットプロトコル（ＶｏＩＰ）クライアントをワイヤレスＰＣカードに一体化する方法および装置を開示する。ソフト携帯電話クライアントがセルラＰＣカードと組み合わされて単一の物理装置が生成される。この単一の物理装置は、装置自体のセルラ機能を介してコンピュータユーザにＶｏＩＰサービスを提供することができ、あるいは、例えばセルラサービスが利用できないとき、またはローミング状態にある可能性があるとき、コンピュータに利用可能な任意の他のインターネット接続機能を介してＶｏＩＰクライアントが動作可能となる。ユーザがＶｏＩＰクライアント／セルラＰＣカードをコンピュータに挿入すると、接続マネージャソフトウェア内に含まれるグラフィカルユーザインターフェース（ＧＵＩ）が立ち上がり、これにより、ユーザがＶｏＩＰクライアントにＶｏＩＰ機能コマンドを伝達することを可能にする。インターネット接続機能についてのチェックを実施することができ、その時、接続機能が検出された場合、拡張ＰＣカードの無線部分が遊休状態またはスリープ状態にされ、あるいは、拡張ＰＣカードのセルラ部分を介してインターネット接続機能を確立することができる。
【図面の簡単な説明】
【００１２】
添付の図面と共に例示として与えられる以下の説明から、より詳細な理解を得ることができる。
【図１】従来型ＵＳＢスティック形態要因内のＶｏＩＰクライアントの機能ブロック図である。
【図２】従来型ワイヤレスＰＣカードの機能ブロック図である。
【図３】ソフトＶｏＩＰクライアントが一体化されたワイヤレスＰＣカードの機能ブロック図である。
【図４】図３のワイヤレスＰＣカードと、図３のワイヤレスＰＣカードが相互作用するＰＣプラットフォームの機能ブロック図である。
【図５】セルラワイヤレスＰＣカードと共にソフトＶｏＩＰクライアントを使用する方法を示す図である。
【発明を実施するための形態】
【００１３】
以下では、「ワイヤレス送信／受信ユニット（ＷＴＲＵ）」という用語は、限定するものではないが、ユーザ装置（ＵＥ）、移動局、固定または移動サブスクライバユニット、ページャ、携帯電話、携帯情報端末（ＰＤＡ）、コンピュータ、またはワイヤレス環境で動作することのできる他の任意のタイプのユーザ装置を含む。以下では、「基地局」という用語は、限定するものではないが、Ｎｏｄｅ−Ｂ、サイトコントローラ、アクセスポイント（ＡＰ）、あるいはワイヤレス環境で動作することのできる他の任意のタイプの相互作用する装置を含む。
【００１４】
コンピュータまたはＰＣという用語は、音声呼出しをサポートすることのできる任意の装置でよい。そのような装置は、限定するものではないが、ラップトップコンピュータ、ＰＤＡ、携帯電話、モバイルインターネット装置（ＭＩＤ）、ウルトラモバイルＰＣ（ＵＭＰＣ）、自動車、およびＰＣカードと相互作用することのできる任意の他の装置を含む。
【００１５】
図３を参照すると、拡張セルラＰＣカード３００の機能ブロック図が示されている。ここでは、ソフト携帯電話クライアント１０１機能が、ワイヤレス接続機能３０９と共に含まれる。ソフト携帯電話クライアント１０１は、非アクセス層（Ｎｏｎ−Ａｃｃｅｓｓ  Ｓｔｒａｔｕｍ：ＮＡＳ）１１１をもはや必要としない。なぜならば、この機能は既にワイヤレス接続機能３０９内に含まれているからである。その代わりに、図示されるように、ソフトウェアインターフェース３１３が導入され、ソフト携帯電話クライアント１０１がワイヤレス接続機能３０９内のＮＡＳ１１１機能にアクセスすることを可能にする。ここでは、ソフト携帯電話クライアント１０１は、Ｕｎｌｉｃｅｎｓｅｄ  Ｍｏｂｉｌｅ  Ａｃｃｅｓｓ／Ｇｅｎｅｒｉｃ  Ａｃｃｅｓｓ  Ｎｅｔｗｏｒｋ（ＵＭＡ／ＧＡＮ）１１３機能と、ボイスオーバーインターネットプロトコル（ＶｏＩＰ）クライアント機能３０５とを少なくとも含む、削減された１組の機能を含む。さらに、ソフト携帯電話クライアント１０１は、ワイヤレス接続機能３０９と共に含まれるＳＩＭカード１０３を使用することができる。このために、ソフトウェアインターフェース３１１が設けられる。
【００１６】
あるいは、ＳＩＭカード１０３がリモートに位置する場合、例えばコンピュータ内に位置する場合、例えば、ＳＩＭまたはＰＣＩバスとの直接接続である外部インターフェース３０１、Ｌｏｗ  Ｐｉｎ  Ｃｏｕｎｔ（ＬＰＣ）バスを設けることができる。さらに、ＳＩＭは、カードなどの物理装置ではなく、ＰＣカード３００またはコンピュータ内のトラステッドプロセッサ（ｔｒｕｓｔｅｄ  ｐｒｏｃｅｓｓｏｒ）上で実行される機械可読命令として実装されたＳＩＭ機能でよい。図を簡単にするために外部ＳＩＭ１０３またはソフトウェアＳＩＭ１０３は図示されていないが、そのような構成、ならびにコンピュータバス、または他の内部もしくは外部ＰＣカードインターフェースを介する拡張セルラＰＣカード３００とＳＩＭカード１０３との間の通信は、本明細書の意図された範囲内に包含される。
【００１７】
ポリシー３１５が、ソフト携帯電話クライアント１０１とワイヤレス接続機能３０９のどちらとも、それぞれソフトウェア３１９、３１７を介して相互作用することができる。ポリシー３１５は、ＳＩＭカード１０３を介して提供され、オペレータによって提供され、またはワイヤレス接続機能３０９およびソフト携帯電話クライアント１０１によってポリシーを使用できる任意の他の構成で提供される拡張セルラＰＣカード３００内に含めることができる。最初に、例えばＦｉｒｍｗａｒｅ  Ｏｖｅｒ  ｔｈｅ  Ａｉｒ（ＦＯＴＡ）プロセスを使用して、オペレータによってポリシーを構成または修正することができる。このポリシー３１５の目的は、１組の規則を定義し、２つの接続機能１０１、３０９の地点の間の調整を実現することである。例えば、ポリシー３１５は、ソフト携帯電話クライアント１０１がＷｉＦｉ（登録商標）インターネット接続機能を確認したとき、この経路を介して音声呼出しおよびデータ呼出しを確立しなければならないこと、および、ワイヤレス接続機能３０９構成要素を遊休状態またはスリープ状態にしなければならないことを指示することができる。
【００１８】
別の実施形態では、ポリシー構成は、ネットワークをデフォルト構成に設定することができるが、限定するものではないが、ＵＭＡ／ＧＡＮをオフにすること、代替ＩＰ接続機能が利用可能であるときであっても、セルラに対するデフォルトにすること（逆も同様である）、使用されているネットワークのユーザに警報すること、各ネットワークについての設定を記憶すること（例えば、旅行者が、ＷｉＦｉ受信が不十分なホテルに戻るときに、再び接続を試みるのではなく、ユーザに以前の設定を警報する）、例えばＶｏｎａｇｅ（商標）またはＳｋｙｐｅ（商標）を介して、コンピュータ上の他のＶｏＩＰサービスを認識すること、ならびに検出時に、好ましい接続をセルラオペレータに変更することをユーザに警報し、またはユーザが好ましい接続をセルラオペレータに変更することを可能にすることを含む、ユーザがプリファレンスを設定するためのオプションを含むことができる。接続マネージャ４１３を使用して、ユーザ定義されたポリシー構成を提供することができる。
【００１９】
一実施形態では、ＰＣカード３００内のワイヤレス接続機能３０９とソフト携帯電話クライアント１０１との組合せは、ＲＦモジュール２０５以外の他のいかなる接続機能メカニズムをも含まない。この実施形態では、例えばハードワイヤードインターネット接続、ＷｉＦｉ（登録商標）、ＷＩＭＡＸ、Ｂｌｕｅｔｏｏｔｈ（登録商標）などを介する代替ＩＰ接続機能は、コンピュータを介してそのような機能を設けることを必要とする。例えば、この機能をコンピュータ内に組み込むことができ、またはコンピュータに挿入された別の周辺装置を介してこの機能を利用可能にすることができる。
【００２０】
一般には、ＰＣカードは、他の有線またはワイヤレスＩＰ接続機能を含むマルチモード装置でよい（すなわち、ソフト携帯電話クライアント、ならびにＲＦ２０５、ＡＳ２０３、およびＮＡＳ１１１を使用するワイヤレス接続機能と同じＰＣカード上にＷＩＭＡＸまたはＷｉＦｉ（登録商標）を実装することができる）。そのようなケースでは、ＰＣカードは、他のＩＰ接続機能に対する内部ハードウェアまたはソフトウェアインターフェースを有し、必要なら、ＰＣプラットフォームに対するハードウェアおよびソフトウェアインターフェースをも有する。したがって、ＩＰ接続機能は、コンピュータまたはＰＣカードを介するものでよい。同様に、接続マネージャ４１３のソフトウェアの一部またはすべては、ＰＣカード上に常駐することができ、他のサブシステム（例えばオーディオ）もＰＣカード上に常駐することができる。簡単にするために、この説明では、他の有線またはワイヤレスＩＰ接続機能、接続マネージャの任意の部分、あるいは他のサブシステムを含まないＰＣカードを扱うが、そのような構成は、本明細書の範囲内に包含される。
【００２１】
図４は、電話システム４００においてこの構成を使用する機能ブロック図を示す。この拡張セルラＰＣカード３００は、拡張セルラＰＣカード３００が挿入されるパーソナルコンピュータ４０９と協調して、完全な音声サービスをエンドユーザに提供することができる。Ｗｉｎｄｏｗｓ（登録商標）などの典型的なＰＣオペレーティングシステム４１１は、コンピュータ内のインターネット接続機能、オーディオサブシステム、ＷｉＦｉ（登録商標）、ＷｉＭＡＸ、ならびに他のサブシステムへのアクセスを可能にする明確なアプリケーションプログラミングインターフェース（ＡＰＩ）４０３を提供する。拡張セルラＰＣカード３００内のソフト携帯電話クライアント１０１を介して、または接続４１５を通じて接続マネージャ４１３またはドライバ機能を介して、こうしたサブシステムに直接アクセスすることができる。同様に、拡張ＰＣカード３００内のワイヤレス接続機能３０９、ポリシー３１５、およびソフト携帯電話クライアント１０１と、コンピュータ４０９内のＡＰＩ４０３およびオペレーティングシステム４１１との間で、通信４１７を可能にできる。拡張セルラＰＣカード３００はＶＯＩＰクライアント３０５を提供する。ＶＯＩＰクライアント３０５は、任意選択により、ソフトウェアモジュール４０１ａとして実装された電話グラフィカルユーザインターフェース（ＧＵＩ）と、ＵＭＡ／ＧＡＮ１１３機能とを含むことができる。ＰＣ４０９は、電話システム４００を完成するのに必要な主要Ｉ／Ｏ機能４０７を提供する。接続マネージャ４１３は、任意選択により、ＰＣ４０９ディスプレイ上にＧＵＩインターフェースを生成することが可能なソフトウェア４０１ｂとして実装されたＧＵＩを含むことができる。
【００２２】
エンドユーザの観点から、システム４００は以下のように動作する。拡張セルラＰＣカードの接続時に、ＧＵＩ機能が自動的に立ち上がる。通常は、ＧＵＩ４０１ａが拡張セルラＰＣカード３００内にある場合に、これが該当する。例えば、ＧＵＩ４０１ａは携帯電話のグラフィカル表現でよい。これが、ＰＣ４０９のディスプレイ上に自動的に現れるようにすることができ、または、立ち上げるためにクリックされるツールバー上のアイコン内にこれを別個に隠すことができる。あるいは、ＧＵＩ４０１ｂが、例えばＰＣ４０９内のＯＳ４１１上で実行中のアプリケーションとして接続マネージャ４１３の一部である場合、ＧＵＩ４０１ｂを立ち上げるためにエンドユーザによる手動操作が要求される。ＧＵＩ４０１ｂが立ち上がり、ＰＣ４０９を介してインターネット接続機能（有線またはワイヤレス）が利用可能となると、エンドユーザは、以下で説明される方法を使用して、電話呼出しを次に行うことができる。上述のＧＵＩが例として与えられるが、テキスト入力、自動的にダイヤルするように構成されたソフトウェア、あるいは電話呼出しのダイヤリング、開始、および／または終了を可能にするハンドセットまたは他の周辺装置などの、呼出しを開始または終了する他の手段を使用できることを当業者は理解されよう。
【００２３】
図５を参照して、拡張セルラＰＣカード５００を使用してＶｏＩＰ電話呼出しを行う方法を説明する。拡張セルラＰＣカードはまず、互換インターフェースを通じてコンピュータに接続される（ブロック５０１）。互換インターフェースは、ＵＳＢ、Ｅｘｐｒｅｓｓ  Ｃａｒｄ、Ｍｉｎｉ  Ｃａｒｄ、または拡張セルラＰＣカードとコンピュータとの間のデータ通信をサポートすることのできる任意のインターフェースでよい。拡張セルラＰＣカードがコンピュータに接続されるとき、ブロック５０３において、ＧＵＩインターフェースが立ち上がる。グラフィカルユーザインターフェースは、コンピュータが電話機であるかのように、ユーザがコンピュータを操作することを可能にする。グラフィカルユーザインターフェースは、携帯電話のコンピュータディスプレイ上、あるいは単にダイヤルパッド、音声ダイヤル装置、または呼出しをし、もしくは呼出しを受ける他のタイプのディスプレイ上の表現であることが可能である。コンピュータにカードを接続する行為によりＧＵＩが自動的に立ち上がる場合、グラフィカルユーザインターフェースは、拡張セルラＰＣカード上に常駐することができる。あるいは、コンピュータのユーザによってグラフィカルユーザインターフェースを手動で立ち上げる場合、ＧＵＩは、コンピュータのオペレーティングシステムの接続マネージャソフトウェア内に常駐することもできる。次いで、ＶｏＩＰクライアントは、インターネット接続機能があるかどうかを確認するためのチェックを行う（ブロック５０５）。インターネット接続機能は、拡張ＰＣモデムカードの無線周波数（ＲＦ）ワイヤレス機能によって提供されるか、あるいは、有線ネットワーク等のコンピュータがアクセスする接続を介して、または、拡張セルラＰＣモデムカード以外の他の場所に位置する無線送受信機によってコンピュータがアクセスするＷｉＦｉ（登録商標）接続を介して提供される。インターネット接続機能が利用可能な場合、既存のインターネット接続が使用される（ブロック５０６）。インターネット接続機能が検出されない場合、拡張セルラＰＣカードのセルラワイヤレス機能が起動され、インターネットとの接続が確立される。
【００２４】
インターネット接続機能が確立されると、ソフトモバイルクライアントは、インターネット接続を通じてＶｏＩＰ通信を確立し、ソフト携帯電話クライアントおよびインターネット接続を介して音声呼出しを実現する（ブロック５０９）。図５は、選択されるポリシーの一例であるが、他のポリシーでは、利用可能であれば従来型交換回線音声接続を使用するような異なるオプションにすることができる。
【００２５】
ＵＭＡ／ＧＡＮベースのソフト携帯電話クライアント手法を使用することができるが、追加の手法を使用することができる。例えば、ＩＥＥＥ８０２．２１規格に基づくソフト携帯電話クライアントを使用することができる。あるいは、携帯電話ソフトクライアントは、８０２．２１規格の各側面を利用するポリシーに関連する情報を使用することができる。ＶｏＩＰを使用可能にする他のプロトコル、例えばＳｅｓｓｉｏｎ  Ｉｎｉｔｉａｔｉｏｎ  Ｐｒｏｔｏｃｏｌ（ＳＩＰ）を使用することができる。このワイヤレス接続機能、ソフトモバイルクライアント、およびポリシーの構成は、セルラオペレータに対して説得力のある商品を提示することができる。というのは、この構成が、単一のＰＣ製品を販売し、良好な統制度を維持し、拡張セルラＰＣカード、およびその拡張セルラＰＣカードが挿入されるコンピュータで集合的に利用可能なすべてのワイヤレス接続機能手段の使用を管理する能力を提供するからである。
【００２６】
上記では特徴および要素を特定の組合せで説明したが、各特徴または要素を他の特徴および要素なしに単独で使用することができ、あるいは他の特徴および要素と様々に組み合わせて、または組み合わせずに使用することができる。本明細書で与えられる方法またはフローチャートを、汎用コンピュータまたはプロセッサで実行するためにコンピュータ可読記憶媒体内に組み込まれたコンピュータプログラム、ソフトウェア、またはファームウェアとして実装することができる。コンピュータ可読記憶媒体の例は、読取り専用メモリ（ＲＯＭ）、ランダムアクセスメモリ（ＲＡＭ）、レジスタ、キャッシュメモリ、半導体メモリ装置、内蔵ハードディスクや取外し可能ディスクなどの磁気媒体、光磁気媒体、およびＣＤ−ＲＯＭディスクやデジタルバーサタイルディスク（ＤＶＤ）などの光媒体を含む。
【００２７】
適切なプロセッサは、例えば、汎用プロセッサ、専用プロセッサ、従来型プロセッサ、デジタル信号プロセッサ（ＤＳＰ）、複数のマイクロプロセッサ、ＤＳＰコアに関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および／または状態マシンを含む。
【００２８】
ソフトウェアに関連するプロセッサを使用して、ワイヤレス送受信ユニット（ＷＴＲＵ）、ユーザ装置（ＵＥ）、端末、基地局、無線ネットワークコントローラ（ＲＮＣ）、または任意のホストコンピュータで使用される無線周波数トランシーバを実装することができる。カメラ、ビデオカメラモジュール、ビデオフォン、スピーカフォン、バイブレーション装置、スピーカ、マイクロフォン、テレビジョントランシーバ、ハンズフリーヘッドセット、キーボード、Ｂｌｕｅｔｏｏｔｈ（登録商標）モジュール、周波数変調（ＦＭ）無線ユニット、液晶ディスプレイ（ＬＣＤ）ディスプレイユニット、有機発光ダイオード（ＯＬＥＤ）ディスプレイユニット、デジタル音楽プレーヤ、メディアプレーヤ、ビデオゲームプレーヤモジュール、インターネットブラウザ、および／または任意のワイヤレスローカルエリアネットワーク（ＷＬＡＮ）モジュールまたは超広帯域（ＵＷＢ）モジュールなどのハードウェアおよび／またはソフトウェアで実装されたモジュールと共にＷＴＲＵを使用することができる。
【００２９】
実施形態
１．ボイスオーバーインターネットプロトコル（ＶｏＩＰ）を提供するように構成されたソフトモバイルクライアントを備えるインターフェースを介して、コンピュータに接続するように構成された装置。
２．ワイヤレス接続機能を提供するように構成されたセルラモデムをさらに備える、実施形態１によって特徴付けられる実施形態。
３．ｕｎｌｉｃｅｎｓｅｄ  ｍｏｂｉｌｅ  ａｃｃｅｓｓ／ｇｅｎｅｒｉｃ  ａｃｃｅｓｓ  ｎｅｔｗｏｒｋ（ＵＭＡ／ＧＡＮ）モジュールをさらに備える、実施形態１〜２のいずれかによって特徴付けられる実施形態。
４．ＶｏＩＰモジュールをさらに備える、実施形態１〜３のいずれかによって特徴付けられる実施形態。
５．ソフト携帯電話クライアントが、ユーザとＶｏＩＰモジュールとの間のＶｏＩＰ音声呼出し機能を提供するように構成されたグラフィカルユーザインターフェース（ＧＵＩ）を実行するソフトウェアをさらに備える、実施形態１〜４のいずれかによって特徴付けられる実施形態。
６．ＧＵＩが電話機のグラフィカル表現である、実施形態１〜５のいずれかによって特徴付けられる実施形態。
７．無線周波数（ＲＦ）モジュールをさらに備える、実施形態１〜６のいずれかによって特徴付けられる実施形態。
８．非アクセス層（ＮＡＳ）モジュールをさらに備える、実施形態１〜７のいずれかによって特徴付けられる実施形態。
９．アクセス層（ＡＳ）モジュールをさらに備える、実施形態１〜８のいずれかによって特徴付けられる実施形態。
１０．加入者識別モジュール（ＳＩＭ）カードをさらに備える、実施形態１〜９のいずれかによって特徴付けられる実施形態。
１１．ＩＥＥＥ８０２．２１モジュールをさらに備える、実施形態１〜１０のいずれかによって特徴付けられる実施形態。
１２．ＶｏＩＰモジュールをさらに備える、実施形態１〜２のいずれかによって特徴付けられる実施形態。
１３．ユーザとＶｏＩＰモジュールとの間のＶｏＩＰ音声呼出し機能を提供するように構成されたグラフィカルユーザインターフェース（ＧＵＩ）をさらに備える、実施形態１〜１２のいずれかによって特徴付けられる実施形態。
１４．ＧＵＩが電話機のグラフィカル表現である、実施形態１〜１３のいずれかによって特徴付けられる実施形態。
１５．無線周波数（ＲＦ）モジュールをさらに備える、実施形態１〜１４のいずれかによって特徴付けられる実施形態。
１６．非アクセス層（ＮＡＳ）モジュールをさらに備える、実施形態１〜１５のいずれかによって特徴付けられる実施形態。
１７．アクセス層（ＡＳ）モジュールをさらに備える、実施形態１〜１６のいずれかによって特徴付けられる実施形態。
１８．加入者識別モジュール（ＳＩＭ）カードをさらに備える、実施形態１〜１７のいずれかによって特徴付けられる実施形態。
１９．無線周波数（ＲＦ）モジュールをさらに備える、実施形態１〜１８のいずれかによって特徴付けられる実施形態。
２０．非アクセス層（ＮＡＳ）モジュールをさらに備える、実施形態１〜１９のいずれかによって特徴付けられる実施形態。
２１．アクセス層（ＡＳ）モジュールをさらに備える、実施形態１〜２０のいずれかによって特徴付けられる実施形態。
２２．加入者識別モジュール（ＳＩＭ）カードをさらに備える、実施形態１〜２１のいずれかによって特徴付けられる実施形態。
２３．インターフェースがユニバーサルシリアルバス（ＵＳＢ）インターフェースである、実施形態１〜２２のいずれかによって特徴付けられる実施形態。
２４．インターフェースがＥｘｐｒｅｓｓＣａｒｄインターフェースである、実施形態１〜２２のいずれかによって特徴付けられる実施形態。
２５．インターフェースがＭｉｎｉ  ＰＣＩ−ｅインターフェースである、実施形態１〜２２のいずれかによって特徴付けられる実施形態。
２６．インターフェースがＰｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ（ＰＣＭＣＩＡ）インターフェースである、実施形態１〜２２のいずれかによって特徴付けられる実施形態。
２７．インターフェースがＣａｒｄｂｕｓインターフェースである、実施形態１〜２２のいずれかによって特徴付けられる実施形態。
２８．コンピュータにおいてボイスオーバーインターネットプロトコル（ＶｏＩＰ）通信を可能にする方法であって、通信インターフェースを介してコンピュータへ周辺装置を接続することを含み、周辺装置が、セルラモデム部およびソフト携帯電話クライアント部を備える方法。
２９．ソフト携帯電話部にＶｏＩＰ命令を提供するように構成されたグラフィカルユーザインターフェース（ＧＵＩ）実行可能ファイルを立ち上げることをさらに含む、実施形態２８によって特徴付けられる実施形態。
３０．インターネット接続機能についてコンピュータをチェックすることをさらに含む、実施形態１〜２のいずれかによって特徴付けられる実施形態。
３１．インターネット接続機能が検出されない場合、セルラモデム部を起動してインターネットに接続することをさらに含む、実施形態２８〜３０のいずれかによって特徴付けられる実施形態。
３２．確立されたインターネット接続を通じて、ソフト携帯電話クライアント部を介してＶｏＩＰ通信を転送することをさらに含む、実施形態２８〜３１のいずれかによって特徴付けられる実施形態。
３３．ソフトモバイルＶｏＩＰクライアント部がＩＥＥＥ８０２．２１実装に基づく、実施形態２８〜３２のいずれかによって特徴付けられる実施形態。
３４．ソフトモバイルＶｏＩＰクライアント部がｓｅｓｓｉｏｎ  ｉｎｉｔｉａｔｉｏｎ  ｐｒｏｔｏｃｏｌ（ＳＩＰ）実装に基づく、実施形態２８〜３２のいずれかによって特徴付けられる実施形態。
３５．ソフト携帯電話クライアント部がＵｎｌｉｃｅｎｓｅｄ  Ｍｏｂｉｌｅ  Ａｃｃｅｓｓ／Ｇｅｎｅｒｉｃ  Ａｃｃｅｓｓ  Ｎｅｔｗｏｒｋ（ＵＭＡ／ＧＡＮ）実装に基づく、実施形態２８〜３４のいずれかによって特徴付けられる実施形態。
３６．ＧＵＩ実行可能ファイルが、ソフト携帯電話クライアント部の一部として周辺装置内に常駐する、実施形態２８〜３５のいずれかによって特徴付けられる実施形態。
３７．ＧＵＩ実行可能ファイルが、コンピュータ内のメモリ内に常駐する、実施形態２８〜３５のいずれかによって特徴付けられる実施形態。
３８．セルラモデム部によってインターネット接続機能を確立し、ソフト携帯電話クライアント部によってＶｏＩＰ通信を実施し、ソフト携帯電話クライアント部とセルラモデム部との間の動作を調整する機械可読命令を含むポリシーをさらに含む、実施形態２８〜３７のいずれかによって特徴付けられる実施形態。
３９．ポリシーが周辺装置のファームウェア内に常駐する、実施形態３８によって特徴付けられる実施形態。
４０．ポリシーが、セルラオペレータによってＦｉｒｍｗａｒｅ  Ｏｖｅｒ  Ｔｈｅ  Ａｉｒ（ＦＯＴＡ）を介して提供される、実施形態３７〜３８のいずれかによって特徴付けられる実施形態。
４１．加入者識別モジュール（ＳＩＭ）部をさらに備える、実施形態３８〜４０のいずれかによって特徴付けられる実施形態。
４２．ポリシーがＳＩＭ部内に常駐する、実施形態３８〜４１のいずれかによって特徴付けられる実施形態。
４３．ＳＩＭ部が、トラステッドプロセッサ上のソフトウェア実行可能ファイル内に格納される、実施形態４１〜４２のいずれかの実施形態。
【図１】
2010524400.tif 000003
【図２】
2010524400.tif 000004
【図３】
2010524400.tif 000005
【図４】
2010524400.tif 000006
【図５】
2010524400.tif 000007
【手続補正書】
【提出日】平成21年12月14日(2009.12.14)
【手続補正１】
【補正対象書類名】特許請求の範囲
【補正対象項目名】全文
【補正方法】変更
【補正の内容】
【特許請求の範囲】
【請求項１】
インターフェースを介してコンピュータに接続するように構成された装置であって、
ボイスオーバーインターネットプロトコル（ＶｏＩＰ）を提供するように構成されたソフトモバイルクライアントと、
セルラインターネットプロトコル（ＩＰ）接続機能を提供するように構成されたセルラモデムと、
を備え、
前記ソフトモバイルクライアントは、前記セルラモデムを通じて、または前記コンピュータを介する既存のＩＰ接続を通じて、ＩＰ接続機能を確立するように構成される
ことを特徴とする装置。
【請求項２】
前記ソフト携帯電話クライアントは、
ｕｎｌｉｃｅｎｓｅｄ  ｍｏｂｉｌｅ  ａｃｃｅｓｓ／ｇｅｎｅｒｉｃ  ａｃｃｅｓｓ  ｎｅｔｗｏｒｋモジュールと、
ＶｏＩＰモジュールと
を備えることを特徴とする請求項１に記載の装置。
【請求項３】
前記ソフト携帯電話クライアントは、ユーザと前記ＶｏＩＰモジュールとの間のＶｏＩＰ音声呼出し機能を提供するように構成されたグラフィカルユーザインターフェース（ＧＵＩ）を実行するソフトウェアを備えることを特徴とする請求項１に記載の装置。
【請求項４】
前記セルラモデムは、
無線周波数モジュールと、
非アクセス層モジュールと、
アクセス層モジュールと
を備えることを特徴とする請求項１に記載の装置。
【請求項５】
前記ソフト携帯電話クライアントは、
ＩＥＥＥ８０２．２１モジュールと、
ＶｏＩＰモジュールと
を備えることを特徴とする請求項１に記載の装置。
【請求項６】
前記ソフト携帯電話クライアントは、
Ｓｅｓｓｉｏｎ  Ｉｎｉｔｉａｔｉｏｎ  Ｐｒｏｔｏｃｏｌモジュールと、
ＶｏＩＰモジュールと
を備えることを特徴とする請求項１に記載の装置。
【請求項７】
前記インターフェースはユニバーサルシリアルバスインターフェースであることを特徴とする請求項１に記載の装置。
【請求項８】
前記インターフェースはＥｘｐｒｅｓｓＣａｒｄインターフェースであることを特徴とする請求項１に記載の装置。
【請求項９】
前記インターフェースはＭｉｎｉ  ＰＣＩ−ｅインターフェースであることを特徴とする請求項１に記載の装置。
【請求項１０】
前記インターフェースはＰｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎインターフェースであることを特徴とする請求項１に記載の装置。
【請求項１１】
前記インターフェースはＣａｒｄｂｕｓインターフェースであることを特徴とする請求項１に記載の装置。
【請求項１２】
コンピュータにおいてボイスオーバーインターネットプロトコル（ＶｏＩＰ）通信を可能にする方法であって、
通信インターフェースを介して前記コンピュータに、セルラモデム部およびソフト携帯電話クライアント部を備える周辺装置を接続するステップと、
前記ソフト携帯電話部にＶｏＩＰ命令を提供するように構成されたグラフィカルユーザインターフェース（ＧＵＩ）実行可能ファイルを立ち上げるステップと、
インターネット接続機能について前記コンピュータをチェックするステップと、
インターネット接続機能が検出されない場合、前記セルラモデム部を起動してインターネットに接続するステップと、
確立されたインターネット接続を通じて、前記ソフト携帯電話クライアント部を介してＶｏＩＰ通信を転送するステップと
を含むことを特徴とする方法。
【請求項１３】
前記ソフトモバイルＶｏＩＰクライアント部はＩＥＥＥ８０２．２１実装に基づくことを特徴とする請求項１２に記載の方法。
【請求項１４】
前記ソフト携帯電話クライアント部はＵｎｌｉｃｅｎｓｅｄ  Ｍｏｂｉｌｅ  Ａｃｃｅｓｓ実装に基づくことを特徴とする請求項１２に記載の方法。
【請求項１５】
前記周辺装置はポリシーをさらに含み、前記ポリシーは、前記セルラモデム部分によってインターネット接続性を確立し、前記ソフト携帯電話クライアント部分によってＶｏＩＰ通信を実施し、前記ソフト携帯電話クライアント部と前記セルラモデム部との間の動作を調整する機械可読命令を含むことを特徴とする請求項１２に記載の方法。
【国際調査報告】
2010524400.tif 000008
2010524400.tif 000009